(57)【要約】【課題】色分解の発生が抑制される表示装置及びその制御方法の提供。【解決手段】複数種類の色の光源と、複数の画素それぞれに設けられ、前記光源からの光の通過／非通過を切り替える複数の素子と、前記光源の点灯の有無と前記素子の通過／非通過とを順に制御する色順次駆動によって、各前記画素の階調を表現する、制御部と、を備え、前記制御部は、画像データ使用期間毎に１画面分の画像データを取り込み該画像データに基づいて表示を行うとともに、フレーム表示期間毎に１画面分の画像の表示を行い、前記フレーム表示期間は、前記画像データ使用期間と長さが異なる。【選択図】図７
2013073113.tif 000002
【特許請求の範囲】
【請求項１】
複数種類の色の光源と、
複数の画素それぞれに設けられ、前記光源からの光の通過／非通過を切り替える複数の素子と、
前記光源の点灯の有無と前記素子の通過／非通過とを順に制御する色順次駆動によって、各前記画素の階調を表現する、制御部と、
を備え、
前記制御部は、画像データ使用期間毎に１画面分の画像データを取り込み該画像データに基づいて表示を行うとともに、フレーム表示期間毎に１画面分の画像の表示を行い、
前記フレーム表示期間は、前記画像データ使用期間と長さが異なる、
ことを特徴とする、表示装置。
【請求項２】
前記制御部は、前記フレーム表示期間が前記画像データ使用期間よりも長い場合には、前記画像データ使用期間に、該画像データの一部を使用せず、前記フレーム表示期間が前記画像データ使用期間よりも短い場合には、前記画像データ使用期間に、該画像データの一部を重複して使用する、
ことを特徴とする、請求項１に記載の表示装置。
【請求項３】
前記フレーム表示期間は、連続するｎ個（ｎ≧２）の分割フレーム表示期間によって構成され、
前記画像データ使用期間の１期間に、連続するｋ個（１≦ｋ＜ｎ）の前記分割フレーム表示期間の表示が行われ、
前記制御部は、前記画像データ使用期間の１期間に、残りのｎ−ｋ個の前記分割フレーム表示期間の表示に用いるための、前記画像データの一部を使用しない、
ことを特徴とする、請求項１又は２に記載の表示装置。
【請求項４】
前記フレーム表示期間の１期間は、連続するｎ個（ｎ≧２）の分割フレーム表示期間によって構成され、
前記画像データ使用期間の１期間に、連続するｋ個（ｎ＜ｋ＜２ｎ）の前記分割フレーム表示期間の表示が行われ、
前記制御部は、前記画像データ使用期間の１期間に、前記フレーム表示期間の１期間に１画面分の前記画像データを使用し、さらに続くｋ−ｎ個の前記分割フレーム表示期間の表示に用いるための、前記画像データの一部をさらに使用する、
ことを特徴とする、請求項１又は２に記載の表示装置。
【請求項５】
連続する前記ｎ個の分割フレーム表示期間それぞれで、前記複数種類のいずれかの色のみの表示が行われるとともに、前記ｎ個の分割フレーム表示期間で表示される色の種類は順に並んで繰り返され、
ｎ−ｋは、色の種類の数より少ない、
ことを特徴とする、請求項３に記載の表示装置。
【請求項６】
連続する前記ｎ個の分割フレーム表示期間それぞれで、前記複数種類のいずれかの色のみの表示が行われるとともに、前記ｎ個の分割フレーム表示期間で表示される色の種類は順に繰り返されて続いており、
ｋ−ｎは、色の種類の数より少ない、
ことを特徴とする、請求項４に記載の表示装置。
【請求項７】
ｎ個の前記分割フレーム表示期間それぞれは、１又は複数のサブフレーム期間で構成されているとともに、複数の前記サブフレーム期間それぞれで、前記素子で通過／非通過させる、光通過期間の所定の長さが定められており、
前記フレーム表示期間の１期間を構成する、前記複数のサブフレーム期間は、
前記光通過期間の長さが同一の前記サブフレーム期間が属する第１のグループと、
前記光通過期間の長さが前記第１のグループの光通過期間より短く、かつ互いに異なる前記サブフレーム期間が属する第２のグループと、
に分類され、
前記第１のグループに属する前記サブフレーム期間のうち、前記光通過期間を有する前記サブフレーム期間が、前記階調が高まるに従って、前記フレーム表示期間の中途から始点及び終点に向かって増加し、
前記各々のサブフレーム期間は、各々の種類の色の光が通過する複数の前記光通過期間を含む、
ことを特徴とする、請求項３又は４に記載の、表示装置。
【請求項８】
前記第１のグループに属する前記サブフレーム期間と、前記第２のグループに属する前記サブフレーム期間と、が交互に設けられる、
請求項７に記載の表示装置。
【請求項９】
前記第１のグループに属する前記サブフレーム期間のうち、最も低階調において前記光通過期間を有する前記サブフレーム期間の前後に、前記第２のグループに属する前記サブフレーム期間が設けられる、
請求項７に記載の表示装置。
【請求項１０】
複数種類の色の光源と、
複数の画素それぞれに設けられ、前記光源からの光の通過／非通過を切り替える複数の素子と、
前記光源の点灯の有無と前記素子の通過／非通過とを順に制御する色順次駆動によって、各前記画素の階調を表現する、制御部と、
を備える表示装置の制御方法であって、
前記制御部は、画像データ使用期間毎に１画面分の画像データを取り込み該画像データに基づいて表示を行うとともに、フレーム表示期間毎に１画面分の画像を表示を行い、
前記フレーム表示期間は、前記画像データ使用期間と長さが異なる、
ことを特徴とする、表示装置の制御方法。
【請求項１１】
前記制御部は、前記フレーム表示期間が前記画像データ使用期間よりも長い場合には、前記画像データ使用期間に、該画像データの一部を使用せず、前記フレーム表示期間が前記画像データ使用期間よりも短い場合には、前記画像データ使用期間に、該画像データの一部を重複して使用する、
ことを特徴とする、請求項１０に記載の表示装置の制御方法。
【請求項１２】
前記フレーム表示期間は、連続するｎ個（ｎ≧２）の分割フレーム表示期間によって構成され、
前記画像データ使用期間の１期間に、連続するｋ個（１≦ｋ＜ｎ）の前記分割フレーム表示期間の表示が行われ、
前記制御部は、前記画像データ使用期間の１期間に、残りのｎ−ｋ個の前記分割フレーム表示期間の表示に用いるための、前記画像データの一部を使用しない、
ことを特徴とする、請求項１０又は１１に記載の表示装置の制御方法。
【請求項１３】
前記フレーム表示期間の１期間は、連続するｎ個（ｎ≧２）の分割フレーム表示期間によって構成され、
前記画像データ使用期間の１期間に、連続するｋ個（ｎ＜ｋ＜２ｎ）の前記分割フレーム表示期間の表示が行われ、
前記制御部は、前記画像データ使用期間の１期間に、前記フレーム表示期間の１期間に１画面分の前記画像データを使用し、さらに続くｋ−ｎ個の前記分割フレーム表示期間の表示に用いるための、前記画像データの一部をさらに使用する、
ことを特徴とする、請求項１０又は１１に記載の表示装置の制御方法。
【請求項１４】
連続する前記ｎ個の分割フレーム表示期間それぞれで、前記複数種類のいずれかの色のみの表示が行われるとともに、前記ｎ個の分割フレーム表示期間で表示される色の種類は順に並んで繰り返され、
ｎ−ｋは、色の種類の数より少ない、
ことを特徴とする、請求項１２に記載の表示装置の制御方法。
【請求項１５】
連続する前記ｎ個の分割フレーム表示期間それぞれで、前記複数種類のいずれかの色のみの表示が行われるとともに、前記ｎ個の分割フレーム表示期間で表示される色の種類は順に繰り返されて続いており、
ｋ−ｎは、色の種類の数より少ない、
ことを特徴とする、請求項１３に記載の表示装置。
【請求項１６】
ｎ個の前記分割フレーム表示期間それぞれは、１又は複数のサブフレーム期間で構成されているとともに、複数の前記サブフレーム期間それぞれで、前記素子で通過／非通過させる、光通過期間の所定の長さが定められており、
前記フレーム表示期間の１期間を構成する、前記複数のサブフレーム期間は、
前記光通過期間の長さが同一の前記サブフレーム期間が属する第１のグループと、
前記光通過期間の長さが前記第１のグループの光通過期間より短く、かつ互いに異なる前記サブフレーム期間が属する第２のグループと、
に分類され、
前記第１のグループに属する前記サブフレーム期間のうち、前記光通過期間を有する前記サブフレーム期間が、前記階調が高まるに従って、前記フレーム表示期間の中途から始点及び終点に向かって増加し、
前記各々のサブフレーム期間は、各々の種類の色の光が通過する複数の前記光通過期間を含む、
ことを特徴とする、請求項１２又は１３に記載の、表示装置の制御方法。
【請求項１７】
前記第１のグループに属する前記サブフレーム期間と、前記第２のグループに属する前記サブフレーム期間と、が交互に設けられる、
請求項１６に記載の表示装置の制御方法。
【請求項１８】
前記第１のグループに属する前記サブフレーム期間のうち、最も低階調において前記光通過期間を有する前記サブフレーム期間の前後に、前記第２のグループに属する前記サブフレーム期間が設けられる、
請求項１６に記載の表示装置の制御方法。
【発明の詳細な説明】
【技術分野】
【０００１】
本発明は、表示装置及びその制御方法に関し、特に、光の通過／非通過を切り替える素子を用いた階調表示に関する。
【背景技術】
【０００２】
特許文献１には、各々の画素に「ＭＥＭＳ（Micro Electro Mechanical Systems）シャッター」と呼ばれる微小なシャッターが設けられた表示装置が開示されている。こうした表示装置では、複数種類の色を順次点灯させるフィールドシーケンシャル（色順次駆動）方式が採用されている。
【先行技術文献】
【特許文献】
【０００３】
【特許文献１】特開２００８−１９７６６８号公報
【発明の概要】
【発明が解決しようとする課題】
【０００４】
色順次駆動方式の表示装置には、色分解という問題が生じている。色分解は、白黒の濃淡のある線を移動させた際に線の前後に色がついて見える現象である。
【０００５】
図１８は、色分解の例を示す画像の図である。当該画像は、黒背景に所定幅の白色の帯線を表示する画像である。色順次駆動方式による１フレーム表示期間の点灯例として、１画面分の画像を表示する１フレーム表示期間を３つの分割フレーム表示期間（Ｒ，Ｇ，Ｂ）に分けて、各分割フレーム表示期間で、赤（Ｒ）、緑（Ｇ）、青（Ｂ）と、順に光源を順に点灯する場合（例えば、図１５参照）がある。図１８に示す画像を例えば右から左へスクロールさせると、当該帯線の左側に赤色の着色線が、当該帯線の右側に青色の着色線が現れてしまう。
【０００６】
これを抑制するために、１フレーム表示期間をさらに細かく分割し、１フレーム表示期間を６つの分割フレーム表示期間（Ｒ１，Ｇ１，Ｂ１，Ｒ２，Ｇ２，Ｂ２）に分けて、同様に、赤（Ｒ）、緑（Ｇ）、青（Ｂ）と、順に光源を順に点灯する点灯例（例えば、図１６参照）もある。この場合であっても、図１８に示す画像を右から左へスクロールさせると、赤色及び青色の着色線の幅は低減するものの、赤色及び青色の着色線が現れてしまう。すなわち、１フレーム表示期間をより細かく分割することで、着色線の幅は低減するものの、色分解の発生自体は抑制されない。
【０００７】
本発明は、上記事情に鑑みてなされたものであり、色分解の発生が抑制される表示装置及びその制御方法を提供することを主な目的とする。
【課題を解決するための手段】
【０００８】
（１）本発明に係る表示装置は、複数種類の色の光源と、複数の画素それぞれに設けられ、前記光源からの光の通過／非通過を切り替える複数の素子と、前記光源の点灯の有無と前記素子の通過／非通過とを順に制御する色順次駆動によって、各前記画素の階調を表現する、制御部と、を備え、前記制御部は、画像データ使用期間毎に１画面分の画像データを取り込み該画像データに基づいて表示を行うとともに、フレーム表示期間毎に１画面分の画像の表示を行い、前記フレーム表示期間は、前記画像データ使用期間と長さが異なる、ことを特徴とする。
【０００９】
（２）上記（１）に記載の表示装置であって、前記制御部は、前記フレーム表示期間が前記画像データ使用期間よりも長い場合には、前記画像データ使用期間に、該画像データの一部を使用せず、前記フレーム表示期間が前記画像データ使用期間よりも短い場合には、前記画像データ使用期間に、該画像データの一部を重複して使用してもよい。
【００１０】
（３）上記（１）又は（２）に記載の表示装置であって、前記フレーム表示期間は、連続するｎ個（ｎ≧２）の分割フレーム表示期間によって構成され、前記画像データ使用期間の１期間に、連続するｋ個（１≦ｋ＜ｎ）の前記分割フレーム表示期間の表示が行われ、前記制御部は、前記画像データ使用期間の１期間に、残りのｎ−ｋ個の前記分割フレーム表示期間の表示に用いるための、前記画像データの一部を使用しなくてもよい。
【００１１】
（４）上記（１）又は（２）に記載の表示装置であって、前記フレーム表示期間の１期間は、連続するｎ個（ｎ≧２）の分割フレーム表示期間によって構成され、前記画像データ使用期間の１期間に、連続するｋ個（ｎ＜ｋ＜２ｎ）の前記分割フレーム表示期間の表示が行われ、前記制御部は、前記画像データ使用期間の１期間に、前記フレーム表示期間の１期間に１画面分の前記画像データを使用し、さらに続くｋ−ｎ個の前記分割フレーム表示期間の表示に用いるための、前記画像データの一部をさらに使用してもよい。
【００１２】
（５）上記（３）に記載の表示装置であって、連続する前記ｎ個の分割フレーム表示期間それぞれで、前記複数種類のいずれかの色のみの表示が行われるとともに、前記ｎ個の分割フレーム表示期間で表示される色の種類は順に並んで繰り返され、ｎ−ｋは、色の種類の数より少なくてもよい。
【００１３】
（６）上記（４）に記載の表示装置であって、連続する前記ｎ個の分割フレーム表示期間それぞれで、前記複数種類のいずれかの色のみの表示が行われるとともに、前記ｎ個の分割フレーム表示期間で表示される色の種類は順に繰り返されて続いており、ｋ−ｎは、色の種類の数より少なくてもよい。
【００１４】
（７）上記（３）又は（４）に記載の表示装置であって、ｎ個の前記分割フレーム表示期間それぞれは、１又は複数のサブフレーム期間で構成されているとともに、複数の前記サブフレーム期間それぞれで、前記素子で通過／非通過させる、光通過期間の所定の長さが定められており、前記フレーム表示期間の１期間を構成する、前記複数のサブフレーム期間は、前記光通過期間の長さが同一の前記サブフレーム期間が属する第１のグループと、前記光通過期間の長さが前記第１のグループの光通過期間より短く、かつ互いに異なる前記サブフレーム期間が属する第２のグループと、に分類され、前記第１のグループに属する前記サブフレーム期間のうち、前記光通過期間を有する前記サブフレーム期間が、前記階調が高まるに従って、前記フレーム表示期間の中途から始点及び終点に向かって増加し、前記各々のサブフレーム期間は、各々の種類の色の光が通過する複数の前記光通過期間を含んでもよい。
【００１５】
（８）上記（７）に記載の表示装置であって、前記第１のグループに属する前記サブフレーム期間と、前記第２のグループに属する前記サブフレーム期間と、が交互に設けられてもよい。
【００１６】
（９）上記（７）に記載の表示装置であって、前記第１のグループに属する前記サブフレーム期間のうち、最も低階調において前記光通過期間を有する前記サブフレーム期間の前後に、前記第２のグループに属する前記サブフレーム期間が設けられてもよい。
【００１７】
（１０）本発明に係る表示装置の制御方法は、複数種類の色の光源と、複数の画素それぞれに設けられ、前記光源からの光の通過／非通過を切り替える複数の素子と、前記光源の点灯の有無と前記素子の通過／非通過とを順に制御する色順次駆動によって、各前記画素の階調を表現する、制御部と、を備える表示装置の制御方法であって、前記制御部は、画像データ使用期間毎に１画面分の画像データを取り込み該画像データに基づいて表示を行うとともに、フレーム表示期間毎に１画面分の画像を表示を行い、前記フレーム表示期間は、前記画像データ使用期間と長さが異なる、ことを特徴としてもよい。
【００１８】
（１１）上記（１０）に記載の表示装置の制御方法であって、前記制御部は、前記フレーム表示期間が前記画像データ使用期間よりも長い場合には、前記画像データ使用期間に、該画像データの一部を使用せず、前記フレーム表示期間が前記画像データ使用期間よりも短い場合には、前記画像データ使用期間に、該画像データの一部を重複して使用してもよい。
【００１９】
（１２）上記（１０）又は（１１）に記載の表示装置の制御方法であって、前記フレーム表示期間は、連続するｎ個（ｎ≧２）の分割フレーム表示期間によって構成され、前記画像データ使用期間の１期間に、連続するｋ個（１≦ｋ＜ｎ）の前記分割フレーム表示期間の表示が行われ、前記制御部は、前記画像データ使用期間の１期間に、残りのｎ−ｋ個の前記分割フレーム表示期間の表示に用いるための、前記画像データの一部を使用しなくてもよい。
【００２０】
（１３）上記（１０）又は（１１）に記載の表示装置の制御方法であって、前記フレーム表示期間の１期間は、連続するｎ個（ｎ≧２）の分割フレーム表示期間によって構成され、前記画像データ使用期間の１期間に、連続するｋ個（ｎ＜ｋ＜２ｎ）の前記分割フレーム表示期間の表示が行われ、前記制御部は、前記画像データ使用期間の１期間に、前記フレーム表示期間の１期間に１画面分の前記画像データを使用し、さらに続くｋ−ｎ個の前記分割フレーム表示期間の表示に用いるための、前記画像データの一部をさらに使用してもよい。
【００２１】
（１４）上記（１２）に記載の表示装置の制御方法であって、連続する前記ｎ個の分割フレーム表示期間それぞれで、前記複数種類のいずれかの色のみの表示が行われるとともに、前記ｎ個の分割フレーム表示期間で表示される色の種類は順に並んで繰り返され、ｎ−ｋは、色の種類の数より少なくてもよい。
【００２２】
（１５）上記（１３）に記載の表示装置の制御方法であって、連続する前記ｎ個の分割フレーム表示期間それぞれで、前記複数種類のいずれかの色のみの表示が行われるとともに、前記ｎ個の分割フレーム表示期間で表示される色の種類は順に繰り返されて続いており、ｋ−ｎは、色の種類の数より少なくてもよい。
【００２３】
（１６）上記（１２）又は（１３）に記載の表示装置の制御方法であって、ｎ個の前記分割フレーム表示期間それぞれは、１又は複数のサブフレーム期間で構成されているとともに、複数の前記サブフレーム期間それぞれで、前記素子で通過／非通過させる、光通過期間の所定の長さが定められており、前記フレーム表示期間の１期間を構成する、前記複数のサブフレーム期間は、前記光通過期間の長さが同一の前記サブフレーム期間が属する第１のグループと、前記光通過期間の長さが前記第１のグループの光通過期間より短く、かつ互いに異なる前記サブフレーム期間が属する第２のグループと、に分類され、前記第１のグループに属する前記サブフレーム期間のうち、前記光通過期間を有する前記サブフレーム期間が、前記階調が高まるに従って、前記フレーム表示期間の中途から始点及び終点に向かって増加し、前記各々のサブフレーム期間は、各々の種類の色の光が通過する複数の前記光通過期間を含んでもよい。
【００２４】
（１７）上記（１６）に記載の表示装置の制御方法であって、前記第１のグループに属する前記サブフレーム期間と、前記第２のグループに属する前記サブフレーム期間と、が交互に設けられてもよい。
【００２５】
（１８）上記（１６）に記載の表示装置の制御方法であって、前記第１のグループに属する前記サブフレーム期間のうち、最も低階調において前記光通過期間を有する前記サブフレーム期間の前後に、前記第２のグループに属する前記サブフレーム期間が設けられてもよい。
【発明の効果】
【００２６】
本発明により、色分解の発生が抑制される表示装置及びその制御方法が提供される。
【図面の簡単な説明】
【００２７】
【図１】本発明の実施形態の一例を示す表示装置の全体斜視図である。
【図２】同表示装置のガラス基板の構成例を示す図である。
【図３】同表示装置の画素の構成例を示す図である。
【図４】本発明の第１の実施形態における１画面分の画像を表示する１フレーム表示期間を示す図である。
【図５】本発明の第１の実施形態の画像表示の駆動シーケンスを示す図である。
【図６】本発明の第１の実施形態に係る画像表示を示す図である。
【図７】本発明の第２の実施形態に係る画像表示を示す図である。
【図８】本発明の第３の実施形態に係る画像表示を示す図である。
【図９】本発明の第４の実施形態に係る画像表示を示す図である。
【図１０】本発明の第５の実施形態に係る画像表示を示す図である。
【図１１】本発明の第６の実施形態における駆動シーケンスを示す図である。
【図１２】本発明の第６の実施形態に係る画像データ使用期間とフレーム表示期間の関係を示す図である。
【図１３】本発明の第６の実施形態に係る画像表示を示す図である。
【図１４】本発明の第６の実施形態に係る色分解の例を示す画像の図である。
【図１５】本発明の比較例１に係る画像表示を示す図である。
【図１６】本発明の比較例２に係る画像表示を示す図である。
【図１７】本発明の比較例３に係る画像表示を示す図である。
【図１８】色分解の例を示す画像の図である。
【発明を実施するための形態】
【００２８】
本発明の表示装置及びその制御方法の実施形態を、図面を参照しながら説明する。
【００２９】
図１は、本発明の実施形態の一例を示す表示装置の全体斜視図である。本発明の表示装置は、ＭＥＭＳシャッターなどの点灯制御素子を利用した表示装置であり、ガラス基板１と、バックライト２と、表示制御回路３と、発光制御回路４と、システム制御回路５（制御部）と、周波数比較ブロック７と、フレームメモリ８と、を備えている。ガラス基板１は、ＭＥＭＳシャッターなどの点灯制御素子と、それを駆動する画素回路及び周辺回路と、を備えている。バックライト２は、ガラス基板１の表示領域を照らす光源であり、ＲＧＢ等の複数種類の色のＬＥＤを含んでいる。表示制御回路３は、ガラス基板１に設けられた回路を制御し、発光制御回路４は、バックライト２の点灯を制御する。また、周波数比較ブロック７は、映像信号（画像データ）の取込周波数（後述する、画像データ使用期間）と、フレーム周波数（後述する、フレーム表示期間）との、周波数比較器であり、フレームメモリ８は、画像フレームメモリで、外部などより取り込んだ画像データが複数画像分格納されている。システム制御回路５は、周波数比較ブロック７に基づき、フレームメモリ８から映像信号（画像データ）を取り込み、取り込んだ映像信号（画像データ）に基づいて表示制御回路３及び発光制御回路４を制御する。
【００３０】
図２は、当該表示装置のガラス基板１の構成例を示す図である。ガラス基板１には、複数の画素１１と、行選択回路１５と、集積回路１４と、が配置されている。各々の画素１１は、ガラス基板１上にマトリクス状に配置されており、バックライト２からの光の透過／非透過を切り替える点灯制御素子と、それを駆動する画素回路と、を含んでいる。各々の画素１１には、行選択回路１５から延びる行選択信号線１２と、集積回路１４から延びるデータ信号線１３と、が接続されている。行選択回路１５によって選択された画素１１の記憶容量に、集積回路１４から出力される映像信号が記憶される。行選択回路１５は集積回路１４によって制御され、集積回路１４はＦＰＣなどの制御線６を経由して外部の表示制御回路３によって制御される。
【００３１】
図３は、当該表示装置の画素１１の構成例を示す図である。行選択信号線１２にはスイッチ２１が接続されており、スイッチ２１がオンすると、データ信号線１３の電圧が記憶容量２２に書き込まれる。記憶容量２２は、スイッチ２１と基準電位２４とに接続されており、記憶容量２２に書き込まれた電圧によって点灯制御素子２３が動作する。点灯制御素子２３は、ＭＥＭＳシャッターなどであり、バックライト２からの光の透過／非透過を切り替える。例えば、ＭＥＭＳシャッターは、バックライト２からの光が通過する開口を開閉するように動作する。
【００３２】
以下、本発明の表示装置における制御方法の実施形態について説明する。
【００３３】
[第１の実施形態]
図４は、本発明の第１の実施形態における１画面分の画像を表示する１フレーム表示期間ＴＦを示す図である。図４に示す通り、１フレーム表示期間ＴＦは、Ｒのサブフレーム期間（ＳＦ１〜ＳＦ８）と、Ｇのサブフレーム期間（ＳＦ９〜ＳＦ１６）と、Ｂのサブフレーム期間（ＳＦ１７〜ＳＦ２４）と、で構成されている。各サブフレーム期間は、アドレス期間と点灯期間とを含んでいる。アドレス期間は、１画面分の画像データのうち、該サブフレーム期間に対応したデータを書き込むため、かつシャッターを移動させるための期間である。各サブフレーム期間に含まれる点灯期間の長さは、２進法に従って重み付けされている。こうした点灯期間で放射される光の通過／非通過をシャッターで制御することによって、各画素の各色の階調が表現される。ここでは、８ビットで２５６階調を表現することが可能であり、階調値は０から２５５の整数値をとる。
【００３４】
図５は、当該実施形態の画像表示の駆動シーケンスを示す図である。光通過時間とは、光源の点灯期間かつシャッターの開放期間のことである。図５では、ハッチング又は黒塗りのセルがシャッターの開放期間を表し、白抜きのセルがシャッターの閉塞期間を表している。シャッターの開放期間では、光源からの光が通過し、シャッターの閉塞期間では光源からの光が通過しない。
【００３５】
当該実施形態において、１フレーム表示期間を３個の分割フレーム表示期間Ｒ，Ｇ， Ｂとし、分割フレーム表示期間Ｒは、Ｒのサブフレーム期間（ＳＦ１〜ＳＦ８）で、分割フレーム表示期間Ｇは、Ｇのサブフレーム期間（ＳＦ９〜ＳＦ１６）で、分割フレーム表示期間Ｂは、Ｂのサブフレーム期間（ＳＦ１７〜ＳＦ２４）で、それぞれ構成されている。
【００３６】
図１８に示す画像の代わりに、簡単のために、右から左へ３個並ぶ画素ＰＸ１，ＰＸ２，ＰＸ３を考える。さらに、図１８に示す画像の白色の帯線の所定幅を画素１個分とする。当該画像が右から左へスクロールする状態を、３個の画像データｄａｔａ１，ｄａｔａ２，ｄａｔａ３で表すこととする。画像データの各画素の階調情報を、ＲＧＢの階調値（ＤＲ，ＤＧ，ＤＢ）で表すとする。画像データｄａｔａ１では、画素ＰＸ１が白表示で、画素ＰＸ２，ＰＸ３が黒表示、画像データｄａｔａ２では、画素ＰＸ２が白表示で、画素ＰＸ１，ＰＸ３が黒表示、画像データｄａｔａ３では、画素ＰＸ３が白表示で、画素ＰＸ１，ＰＸ２が黒表示である。ここで、白表示及び黒表示を、ＲＧＢの階調値で表すと、それぞれ、（２５５，２５５，２５５）、（０，０，０）である。
【００３７】
図１５は、本発明の比較例１に係る画像表示を示す図である。図の縦軸は、画素の位置を示しており、下から上へ順に、ＰＸ１，ＰＸ２，ＰＸ３である。図の横軸は、時間であり、１画面分の画像を表示する１フレーム表示期間をＴＦとし、時系列に順に、第１フレーム表示期間ＴＦ１，第２フレーム表示期間ＴＦ２，第３フレーム表示期間ＴＦ３，（第４フレーム表示期間ＴＦ４，・・・）とする。上述の通り、フレーム表示期間ＴＦは、３個の分割フレーム表示期間Ｒ，Ｇ，Ｂで構成され、図１５に示す通り、分割フレーム表示期間は、Ｒ，Ｇ，Ｂの順に並んで繰り返している。比較例１において、周波数６０Ｈｚ（画像データ使用期間ＴＤ１６．６７ｍｓ）で、１画面分の画像データを取り込み、取り込まれた該画像データに基づいて、表示が行われる。周波数６０Ｈｚで、１画面分の画像データが表示されている。すなわち、１フレーム表示期間ＴＦは、１画像データ使用期間ＴＤと等しく、１６．６７ｍｓである。
【００３８】
第１フレーム表示期間ＴＦ１では、画像データｄａｔａ１の表示を、第２フレーム表示期間ＴＦ２では、画像データｄａｔａ２の表示を、第３フレーム表示期間ＴＦ３では、画像データｄａｔａ３の表示を行っている。この場合、各画像データを使用する画像データ使用期間ＴＤ（フレーム表示期間ＴＦ）において、最初に用いられる分割フレーム表示期間はＲであり、最後に用いられる分割フレーム表示期間はＢとなる。よって、図１５に示す通り、各画像データの最初の分割フレーム表示期間を結ぶとＲ表示、最後の分割フレーム表示期間を結ぶとＢ表示となっている。図４に示すサブクレーム期間で構成される制御方法の場合、帯線が移動しているスクロール状態において、各画像データの最初に表示される色が常に赤色となり、最後に表示される色が常に青色となり、図１８に示す画像を右から左へスクロールする場合に、当該帯線の左側に赤色の着色線が、当該帯線の右側に青色の着色線の出現が説明される。なお、帯線の中央付近での白表示については、図１５にはＷとして示されている。
【００３９】
図６は、当該実施形態に係る画像表示を示す図である。図１５と同様に、図の縦軸は画素の位置を、図の横軸は時間であり、比較例１と同様に、周波数６０Ｈｚ（画像データ使用期間ＴＤ１６．６７ｍｓ）で、１画面分の画像データを取り込み、取り込まれた該画像データに基づいて、表示が行われる。しかし、比較例１と異なり、１画像データ使用期間ＴＤに、２個の分割フレーム表示期間しか表示が行われていない。１画像データ使用期間ＴＤは、１画面分の画像の表示を行う１フレーム表示期間ＴＦ（３個の分割フレーム表示期間）より短く、両者は長さが異なる。なお、１フレーム表示期間ＴＦは、１画像データ使用期間ＴＤの１．５倍であり、２５ｍｓ（周波数４０Ｈｚ）となっている。
【００４０】
比較例１と同様に、１フレーム表示期間ＴＦの１期間は、連続する３個（ｎ＝３）の分割フレーム表示期間Ｒ，Ｇ，Ｂによって構成されているが、比較例１と異なり、１画像データ使用期間ＴＤの１期間に、連続する２個（ｋ＝２，１≦ｋ＜ｎ）の分割フレーム表示期間の表示が行われている。例えば、画像データｄａｔａ１を使用する画像データ使用期間ＴＤでは、２個の分割フレーム表示期間Ｒ，Ｇの表示が行われ、残りの１個（ｎ−ｋ＝１）の分割フレーム表示期間Ｂの表示が行われていない。ここで、各分割フレーム表示期間の表示に用いられる画像情報（画像データの一部）は、画素データの各画素の階調情報のうち、分割フレーム表示期間を表示する色の階調情報である。よって、例えば、画像データｄａｔａ１を使用する画像データ使用期間ＴＤでは、画像データの各画素のＲとＧの階調情報が使用され、Ｂの階調情報が使用されていない。すなわち、各画像データ使用期間ＴＤにおいて、画像データの一部が使用されておらず、ここで、使用していない画像データの一部とは、３色の階調情報のうち、表示が行われない色の階調情報である。
【００４１】
画像データｄａｔａ１を使用する画像データ使用期間ＴＤでは、ＲとＧの２色の階調情報を使用して（Ｂの階調情報を使用せずに）、それぞれ分割フレーム表示期間Ｒ，Ｇの表示を行い、画像データｄａｔａ２を使用する画像データ使用期間ＴＤでは、ＢとＲの２色の階調情報を使用して（Ｇの階調情報を使用せずに）、それぞれ分割フレーム表示期間Ｂ，Ｒの表示を行い、画像データｄａｔａ３を使用する画像データ使用期間ＴＤでは、ＧとＢの２色の階調情報を使用して（Ｒの階調情報を使用せずに）、それぞれ分割フレーム表示期間Ｇ，Ｂの表示を行っている。よって、図６に示す通り、各画像データの最初の分割フレーム表示期間を結ぶと、ＲＢＧＲＢＧ・・・と繰り返すこととなり、人間の目には、積算されて白色に認識されるので、当該帯線の左側に出現する赤色の着色線が抑制される。同様に、各画像データの最後の分割フレーム表示期間を結ぶと、ＧＲＢＧＲＢ・・・と繰り返すこととなり、当該帯線の右側に出現する青色の着色線が抑制される。なお、帯線の左側、中央付近、右側での表示が、図６にはすべてＷとして示されている。
【００４２】
当該実施形態に係る制御方法では、画像データ使用期間ＴＤと、フレーム表示期間ＴＦが異なっており、連続する２個の画像の画像データを表示する最初（最後）の分割フレーム表示期間が異なっている。これにより、色分解の発生が抑制される。さらに、ある画像の画像データを使用する画像データ使用期間ＴＤに、その画像データの一部を使用しておらず、１個の分割フレーム表示期間を長くすることが出来、各サブフレーム期間のアドレス期間に行うデータ書き込みの回数を単位時間当たり低減することが出来、また、光源の発光切り替えの回数を単位時間当たり低減することが出来、発光効率が向上し、消費電力が低減される。
【００４３】
［第２の実施形態］
図７は、本発明の第２の実施形態に係る画像表示を示す図である。図６と同様に、図の縦軸は画素の位置を、図の横軸は時間であり、第１の実施形態と同様に、１画像データ使用期間ＴＤは１６．６７ｍｓである。しかし、第１の実施形態と異なり、１画像データ使用期間ＴＤに、４個の分割フレーム表示期間の表示が行われている。１画像データ使用期間ＴＤは、１フレーム表示期間ＴＦより長く、両者は長さが異なる。１画像データ使用期間ＴＤに、画像データの一部を重複して使用している。なお、１フレーム表示期間ＴＦは、３個（ｎ＝３）の分割フレーム表示期間によって構成され、１フレーム表示期間ＴＦは、１画像データ使用期間ＴＤの０．７５倍であり、１２．５ｍｓ（周波数８０Ｈｚ）となっている。
【００４４】
当該実施形態において、１画像データ使用期間ＴＤの１期間に、連続する４個（ｋ＝４，ｎ＜ｋ＜２ｎ）の分割フレーム表示期間の表示が行われている。例えば、画像データｄａｔａ１を使用する画像データ使用期間ＴＤでは、１画面分の画像データを表示する１フレーム表示期間ＴＦ（分割フレーム表示期間Ｒ，Ｇ，Ｂ）の表示に加えて、さらに続く１個（ｋ−ｎ）の分割フレーム表示期間Ｒの表示が行われている。画像データｄａｔａ１を使用する画像データ使用期間ＴＤでは、画像データｄａｔａ１のすべて（１画面分のデータ）を使用して、３個の分割フレーム表示期間Ｒ，Ｇ，Ｂの表示を行い、さらに、画像データｄａｔａ１の一部を使用して、分割フレーム表示期間Ｒの表示を行っており、Ｒの階調情報（画像データの一部）を重複して使用している。
【００４５】
画像データｄａｔａ１を使用する画像データ使用期間ＴＤでは、１画面分の画像表示（分割フレーム表示期間Ｒ，Ｇ，Ｂ）に加えてさらに、Ｒの階調情報を使用して分割フレーム表示期間Ｒの表示を行い、画像データｄａｔａ２を使用する画像データ使用期間ＴＤでは、１画面分の画像表示（分割フレーム表示期間Ｇ，Ｂ，Ｒ）に加えてさらに、Ｇの階調情報を使用して分割フレーム表示期間Ｇの表示を行い、画像データｄａｔａ３を使用する画像データ使用期間ＴＤでは、１画面分の画像表示（分割フレーム表示期間Ｂ，Ｒ，Ｇ）に加えてさらに、Ｂの階調情報を使用して分割フレーム表示期間Ｂの表示を行っている。よって、図７に示す通り、各画像データの最初の分割フレーム表示期間を結ぶと、ＲＧＢＲＧＢ・・・と繰り返すこととなり、人間の目には、積算されて白色に認識されるので、当該帯線の左側に出現する赤色の着色線が抑制される。同様に、各画像データの最後の分割フレーム表示期間を結ぶと、ＲＧＢＲＧＢ・・・と繰り返すこととなり、当該帯線の右側に出現する青色の着色線が抑制される。なお、帯線の左側、中央付近、右側での表示が、図６にはすべてＷとして示されている。
【００４６】
当該実施形態に係る制御方法では、第１の実施形態と同様に、画像データ使用期間ＴＤと、フレーム表示期間ＴＦが異なっており、連続する２個の画像の画像データを表示する最初（最後）の分割フレーム表示期間が異なっている。これにより、色分解の発生が抑制される。さらに、画像データ使用期間ＴＤに対して、フレーム表示期間を短くすることが出来ており、単位時間当たりに表示する画像の画面数を向上することが出来、より動きの滑らかな画像を表示することが出来ている。
【００４７】
［第３の実施形態］
本発明の第３の実施形態では、第１の実施形態と異なり、１フレーム表示期間ＴＦが６個の分割フレーム表示期間で構成されている。すなわち、各色の表示をそれぞれ、２個の分割フレーム表示期間で行う。各色の表示を行う２個の分割フレーム表示期間それぞれは、１又は複数のサブフレーム期間で構成されている。図４に示すＲの表示を行うＲのサブフレーム期間（ＳＦ１〜ＳＦ８）を２個のグループに分類し、一方のグループに分類されるサブフレーム期間によって分割フレーム表示期間Ｒ１が構成され、他方のグループに分類されるサブフレーム期間によって分割フレーム表示期間Ｒ２が構成される。２個の分割フレーム表示期間の長さが等しくなるように、Ｒのサブフレーム期間（ＳＦ１〜ＳＦ８）を２個のグループに分類するのが望ましい。ここでは、２個の分割フレーム表示期間の長さは等しいものとする。他の色も同様にすることにより、１フレーム表示期間を６個の分割フレーム表示期間で構成することが出来る。
【００４８】
図１６は、本発明の比較例２に係る画像表示を示す図である。図の縦軸及び横軸と、３個の画像データｄａｔａ１，ｄａｔａ２，ｄａｔａ３は、図１５と同様である。上述の通り、フレーム表示期間ＴＦは、６個の分割フレーム表示期間Ｒ１，Ｇ１，Ｂ１，Ｒ２，Ｇ２，Ｂ２で構成され、図１６に示す通り、Ｒ，Ｇ，Ｂの順に並んで繰り返している。比較例２において、比較例１と同様に、画像データ使用期間ＴＤとフレーム表示期間ＴＦとは、長さが等しく、ともに、１６．６７ｍｓ（周波数６０Ｈｚ）である。
【００４９】
図１５に示す比較例１と比べると、１フレーム表示期間ＴＦにいて、分割フレーム表示期間の個数が２倍になったのに伴って、Ｒ，Ｇ，Ｂの繰り返しも２倍となっているが、各画像データを使用する画像データ使用期間ＴＤにおいて、最初に用いられる分割フレーム表示期間はＲ１であり、最後に用いられる分割フレーム表示期間はＢ２である。比較例１と同様に、各画像データの最初の分割フレーム表示期間を結ぶとＲ表示、最後の分割フレーム表示期間を結ぶとＢ表示となっている。１個の分割フレーム表示期間が短くなっているので、出現する着色線の幅は短くなるが、比較例１と同様に、色分解の出現が説明される。
【００５０】
図８は、当該実施形態に係る画像表示を示す図である。図の縦軸及び横軸と、３個の画像データｄａｔａ１，ｄａｔａ２，ｄａｔａ３は、図６及び図７と同様である。第１の実施形態同様に、１画像データ使用期間ＴＤは１フレーム表示期間ＴＦ（６個の分割フレーム表示期間）より短く、１画像データ使用期間ＴＤにおいて、画像データの一部は使用されていない。１画像データ使用期間ＴＤは１６．６７ｍｓ（周波数６０Ｈｚ）であり、１フレーム表示期間ＴＦは、１画像データ使用期間ＴＤの１．２倍であり、２０ｍｓ（周波数５０Ｈｚ）となっている。
【００５１】
比較例２と同様に、１フレーム表示期間ＴＦの１期間は、連続する６個（ｎ＝６）の分割フレーム表示期間で構成されているが、比較例２と異なり、１画像データ使用期間ＴＤの１期間に、連続する５個（ｋ＝５，１≦ｋ＜ｎ）の分割フレーム表示期間の表示が行われている。例えば、画像データｄａｔａ１を使用する画像データ使用期間ＴＤでは、５個の分割フレーム表示期間Ｒ１，Ｇ１，Ｂ１，Ｒ２，Ｇ２の表示が行われ、残りの１個（ｎ−ｋ＝１）の分割フレーム表示期間Ｂ２の表示が行われていない。ここで、各分割フレーム表示期間の表示に用いられる画像情報（画像データの一部）は、画像データの各画素の対応する色の階調情報の一部である。具体的には、階調情報は階調値（０〜２５５）であり、階調値を８ｂｉｔで表すことができ、８ｂｉｔ（位）のうち一部の位の値（０，１）の組み合わせである。どの組み合わせかは、分割フレーム表示期間を構成するサブフレーム期間の組み合わせによって決まる。例えば、画像データｄａｔａ１を使用する画像データ使用期間ＴＤでは分割フレーム表示期間Ｂ２を表示するための画像情報が、画像データｄａｔａ２を使用する画像データ使用期間ＴＤでは分割フレーム表示期間Ｇ２を表示するための画像情報が、画像データｄａｔａ３を使用する画像データ使用期間ＴＤでは分割フレーム表示期間Ｒ２を表示するための画像情報が、それぞれ使用されていない。すなわち、各画像データ使用期間ＴＤにおいて、画像データの一部が使用されていない。
【００５２】
図６に示す第１の実施形態と同様に、各画像データの最初の分割フレーム表示期間を結ぶと、ＲＢＧＲＢＧ・・・と繰り返すこととなり、人間の目には、積算されて白色に認識されるので、当該帯線の左側に出現する赤色の着色線が抑制される。同様に、各画像データの最後の分割フレーム表示期間を結ぶと、ＧＲＢＧＲＢ・・・と繰り返すこととなり、当該帯線の右側に出現する青色の着色線が抑制される。なお、帯線の左側、中央付近、右側での表示が、図８にはすべてＷとして示されている。
【００５３】
当該実施形態に係る制御方法では、第１の実施形態に係る制御方法と同様の効果が得られているが、さらに、使用しない画像データの一部を少なくすることが出来ており、第１の実施形態と比べて、１画面分の画像データをすべて使用する画像表示に、より近い表示を実現しつつ、色分解を抑制することが出来ている。
【００５４】
［第４の実施形態］
本発明の第４の実施形態では、第３の実施形態と同様に、１フレーム表示期間が６個（ｎ＝６）の分割フレーム表示期間で構成されている。第２の実施形態と同様に、１画像データ使用期間ＴＤは１フレーム表示期間ＴＦより長く、１画像データ使用期間ＴＤに画像データの一部を重複して使用している。
【００５５】
図９は、当該実施形態に係る画像表示を示す図である。図の縦軸及び横軸と、３個の画像データｄａｔａ１，ｄａｔａ２，ｄａｔａ３は、図６乃至図８と同様である。１画像データ使用期間ＴＤは１６．６７ｍｓ（周波数６０Ｈｚ）であり、７個の分割フレーム表示期間で構成されている。これに対して、１フレーム表示期間ＴＦは、１画像データ使用期間ＴＤの０．８５７倍であり、１４．２９ｍｓ（周波数７０Ｈｚ）となっている。
【００５６】
当該実施形態において、１画像データ使用期間ＴＤの１期間に、連続する７個（ｋ＝７，ｎ＜ｋ＜２ｎ）の分割フレーム表示期間の表示が行われている。例えば、画像データｄａｔａ１を使用する画像データ使用期間ＴＤでは、１画面分の画像データを表示する１フレーム表示期間ＴＦ（分割フレーム表示期間Ｒ１，Ｇ１，Ｂ１，Ｒ２，Ｇ２，Ｂ２）の表示に加えて、さらに続く１個（ｋ−ｎ）の分割フレーム表示期間Ｒ１の表示が行われている。画像データｄａｔａ１を使用する画像データ使用期間ＴＤでは、画像データｄａｔａ１のすべて（１画面分のデータ）を使用して、６個の分割フレーム表示期間Ｒ１，Ｇ１，Ｂ１，Ｒ２，Ｇ２，Ｂ２の表示を行い、さらに、画像データｄａｔａ１の一部を使用して、分割フレーム表示期間Ｒ１の表示を行い、画像データｄａｔａ１の一部である、Ｒの階調情報の一部を重複して使用している。
【００５７】
画像データｄａｔａ１を使用する画像データ使用期間ＴＤでは、１画面分の画像表示（分割フレーム表示期間Ｒ１，Ｇ１，Ｂ１、Ｒ２，Ｇ２，Ｂ２）に加えてさらに、Ｒの階調情報の一部を使用して分割フレーム表示期間Ｒ１の表示を行い、画像データｄａｔａ２を使用する画像データ使用期間ＴＤでは、１画面分の画像表示（分割フレーム表示期間Ｇ１，Ｂ１，Ｒ２，Ｇ２，Ｂ２，Ｒ１）に加えてさらに、Ｇの階調情報の一部を使用して分割フレーム表示期間Ｇ１の表示を行い、画像データｄａｔａ３を使用する画像データ使用期間ＴＤでは、１画面分の画像表示（分割フレーム表示期間Ｂ１，Ｒ２，Ｇ２，Ｂ２，Ｒ１，Ｇ１）に加えてさらに、Ｂの階調情報を使用して分割フレーム表示期間Ｂ１の表示を行っている。よって、図７に示す第２の実施形態と同様に、当該帯線の左側に出現する赤色の着色線及び右側に出現する青色の着色線がともに抑制される。
【００５８】
当該実施形態に係る制御方法では、第２の実施形態に係る制御方法と同様の効果が得られているが、さらに、重複して使用する画像データの一部を少なくすることが出来ており、第２の実施形態と比べて、１画面分の画像データをすべて使用する画像表示に、より近い表示を実現しつつ、色分解を抑制することが出来ている。
【００５９】
以上の第１乃至第４の実施形態では、１フレーム表示期間ＴＦを構成するｎ個の分割フレーム表示期間それぞれにおいて、３色ＲＧＢのうちいずれかの色の表示が行われており、さらに、連続するｎ個の分割フレーム表示期間で表示される色は、順にＲＧＢと規則的に（周期的に）繰り返されている。１フレーム表示期間ＴＦが画像データ使用期間ＴＤより長い場合には、画像データ使用期間ＴＤにおいて、残りの１個の分割フレーム表示期間の表示を行わないことにより、各画像データ使用期間ＴＤにおける最初（最後）の分割フレーム表示期間で表示される色を、順にＲＢＧとずらすことが出来ている。１フレーム表示期間ＴＦが画像データ使用期間ＴＤより短い場合には、画像データ使用期間ＴＤにおいて、１フレーム表示期間ＴＦ（ｎ個の分割フレーム表示期間）に加えてさらに１個の分割フレーム表示期間の表示を行うことにより、各画像データ使用期間ＴＤにおける最初（最後）の分割フレーム表示期間で表示される色を、順にＲＧＢとずらすことが出来ている。このように、１フレーム表示期間ＴＦが画像データ使用期間ＴＤより長い（短い）場合に、１個の分割フレーム表示期間の表示を行わない（表示をさらに行う）ことにより、各画像データ使用期間ＴＤにおける最初の分割フレーム表示期間で表示される色を順にずらすことが出来ている。表示を行わない（表示をさらに行う）分割フレーム表示期間は１個に限定されることはなく２個であってもよく、色の種類の数（３）より少ない数字であればよい。１画面分の画像データをすべて使用する画像表示に、より近い表示を実現するためには、１個であるのが望ましい。
【００６０】
[第５の実施形態]
本発明の第５の実施形態では、１フレーム表示期間ＴＦが１２個の分割フレーム表示期間で構成されている。第３及び第４の実施形態では、１フレーム表示期間ＴＦは、６個の分割フレーム表示期間Ｒ１，Ｇ１，Ｂ１，Ｒ２，Ｇ２，Ｂ２で構成されているが、各分割フレーム表示期間をさらに前半と後半とに分割しているのが、当該実施形態である。例えば、分割フレーム表示期間Ｒ１の前半部分を分割フレーム表示期間Ｒ１Ａと、後半部分を分割フレーム表示期間Ｒ１Ｂとしている。
【００６１】
当該実施形態においても、１フレーム表示期間ＴＦが画像データ使用期間ＴＤより長い場合には、画像データ使用期間ＴＤにおいて、残りの１個の分割フレーム表示期間の表示を行わないことにより、各画像データ使用期間ＴＤにおける最初（最後）の分割フレーム表示期間を１つずつずらすことが出来る。同様に、１フレーム表示期間ＴＦが画像データ使用期間ＴＤより短い場合には、画像データ使用期間ＴＤにおいて、１フレーム表示期間ＴＦ（ｎ個の分割フレーム表示期間）に加えてさらに１個の分割フレーム表示期間の表示を行うことにより、各画像データ使用期間ＴＤにおける最初（最後）の分割フレーム表示期間を１つずつずらすことが出来る。ここでは、後者の場合について説明する。
【００６２】
図１０は、当該実施形態に係る画像表示を示す図である。図の縦軸及び横軸と、３個の画像データｄａｔａ１，ｄａｔａ２，ｄａｔａ３は、図６乃至図９と同様である。１画像データ使用期間ＴＤは１６．６７ｍｓ（周波数６０Ｈｚ）であり、１３個の分割フレーム表示期間で構成されている。これに対して、１フレーム表示期間ＴＦは、１画像データ使用期間ＴＤの０．９２３倍であり、１５．３８ｍｓ（周波数６５Ｈｚ）となっている。
【００６３】
上述の通り、１フレーム表示期間ＴＦは、１２個の分割フレーム表示期間Ｒ１Ａ，Ｒ１Ｂ，Ｇ１Ａ，Ｇ１Ｂ，・・・Ｂ２Ａ，Ｂ２Ｂで構成されている。画像データｄａｔａ１を使用する画像データ使用期間ＴＤでは、１画面分の画像表示に加えてさらに、分割フレーム表示期間Ｒ１Ａの表示を行い、画像データｄａｔａ２を使用する画像データ使用期間ＴＤでは、１画面分の画像表示に加えてさらに、分割フレーム表示期間Ｒ１Ｂの表示を行い、画像データｄａｔａ３を使用する画像データ使用期間ＴＤでは、１画面分の画像表示に加えてさらに、分割フレーム表示期間Ｇ１Ａの表示を行っている。なお、図１０には、例えば、２個の分割フレーム表示期間Ｒ１Ａ，Ｒ１ＢをまとめてＲ１として記しており、他のＧ１，Ｂ１，Ｒ２，Ｇ２，Ｂ２についても同様である。
【００６４】
かかる画像表示を行うことにより、各画像データ使用期間ＴＤにおける最初（最後）の分割フレーム表示期間をＲ１Ａ，Ｒ１Ｂ，Ｇ１Ｂ，・・・と、順に１つずつずらすことが出来ている。第１乃至第４の実施形態では、各画像データ使用期間ＴＤにおける最初（最後）の分割フレーム表示期間で表示される色は、ＲＧＢと順に繰り返し、画像データ使用期間ＴＤが１６．６７ｍｓ（周波数６０Ｈｚ）であるときに、色の交換周期はその３倍で、５０ｍｓ（周波数２０Ｈｚ）となっている。これに対して、当該実施形態では、各画像データ使用期間ＴＤにおける最初（最後）の分割フレーム表示期間で表示される色は、ＲＲＧＧＢＢと順に繰り返すので、同じ画像データ使用期間ＴＤに対して、色の交換周期は第１乃至第４の実施形態の２倍と長くなっており、色分解抑制の観点からは望ましくない。しかし、当該実施形態の場合、以下のような効果が得られている。図１０に示す画像表示の場合、１フレーム表示期間ＴＦを１２個の分割フレーム表示期間によって構成したにもかかわらず、ＲＧＢの繰り返しは、図８及び図９と同じく１フレーム表示期間ＴＦで２回である。すなわち、分割フレーム表示期間の数（ｎ個）を増加させて、重複して使用する画像データの一部を小さくすることが出来ており、１画面分の画像データをすべて使用する画像表示に、より近い表示を実現している。にもかかわらず、光源の発光切り替えの回数を単位時間当たり低減することが出来、発光効率が向上し、消費電力が低減される。
【００６５】
［第６の実施形態］
本発明の第６の実施形態では、疑似輪郭の出現が抑制される駆動シーケンスを提案している。そして、当該実施形態は、当該駆動シーケンスに本発明を適用したものである。
【００６６】
例えば、図５に示す駆動シーケンスによる表示を行う場合、疑似輪郭という現象が発生してしまう。ここで疑似輪郭とは、実際に存在しない明暗の境界が見えてしまう現象である。図５に示す駆動シーケンスによると、例えば、階調値１２８から階調値１２７切り替わるパターンを画面の右から左にスクロールさせた場合に、疑似輪郭は発生する。まず、当該実施形態に係る駆動シーケンスから説明する。
【００６７】
図１１は、当該実施形態における駆動シーケンスを示す図である。図の縦軸は表示可能な階調を表しており、最左列には階調数が示されている。階調数は、図中下方に向かうほど高くなる。また、各図の横軸は、１つの画像を表示する１フレーム表示期間を表しており、最上行には１フレーム表示期間を構成するサブフレーム期間の番号が示されている。図中左方が１フレーム表示期間の始点側に対応し、図中右方が１フレーム表示期間の終点側に対応する。各々のサブフレーム期間は、ＲＧＢ各色の光通過期間を含んでいる。ＲＧＢそれぞれの光通過期間は等しく、サブフレーム期間それぞれにおいて所定の長さに定められている。なお、図４に示すサブフレーム期間が、ＲＧＢいずれか一色の光通過期間を表しており、図１１に示すサブフィールド期間とその点で異なっている。本例では、ＲＧＢ各色の光通過期間が、ＲＧＢの順で短い周期で繰り返される。ＭＥＭＳシャッターを用いる場合、光通過期間は、バックライト２の点灯期間かつＭＥＭＳシャッターの開放期間である。これらの図では、各々の階調においてどのサブフレーム期間の光通過期間が発光するのかが示されている。このように、各々の階調は、サブフレーム期間の光通過期間の有無によって表現される。なお、これらの図では、各色の階調が同じ例（Ｒ＝Ｇ＝Ｂ）が示されているが、各色の階調が異なる場合には各々の点灯パターンが適用される。また、各々の光通過期間の間には、図示されていないが、実際にはアドレス期間が設けられる。
【００６８】
サブフレーム期間は、第１のグループに属するサブフレーム期間３−１〜３−７と、第２のグループに属するサブフレーム期間０〜２と、に分類される。第１のグループに属するサブフレーム期間３−１〜３−７では、光通過期間の長さが同一である。光通過期間の長さは、本例では３ｂｉｔである。３−１〜３−７の前側の「３」の字は、３ｂｉｔの長さであることを表しており、後側の「１〜７」の字は、階調が高まるに従って光通過期間が出現する順序を表している。第１のグループでは、光通過期間が出現するサブフレーム期間の数が、階調が８の倍数に到達する毎に増加していく。第２のグループに属するサブフレーム期間０〜２では、光通過期間の長さが第１のグループの光通過期間よりも短く、かつ互いに異なるように重み付けされている。光通過期間の長さは、本例では０〜２ｂｉｔである。「０〜２」の字は、０〜２ｂｉｔの長さであることを表している。第２のグループに属するサブフレーム期間０〜２では、階調が８に到達するまでの間、各階調に対応する長さの光通過期間の組み合わせのパターンが出現し、このパターンが、階調が８の倍数に到達する毎に繰り返される。第１のグループに属するサブフレーム期間３−１〜３−７は、点灯制御部とも呼ばれ、第２のグループに属するサブフレーム期間０〜２は、ｂｉｔ制御部とも呼ばれる。
【００６９】
第１のグループに属するサブフレーム期間３−１〜３−７のうち、光通過期間が出現するサブフレーム期間は、階調が高まるに従って、１フレーム表示期間の中途から始点及び終点に向かって増加し、全体として概略山形状を為すように配置される。このとき、光通過期間が出現するサブフレーム期間は、始点側及び終点側に交互に増加していく。例えば、最も低階調において光通過期間が出現するサブフレーム期間３−１は、１フレーム表示期間の中央部に設けられる。２番目の低階調において光通過期間が出現するサブフレーム期間３−２は、サブフレーム期間３−１に対して１フレーム表示期間の始点側または終点側に設けられる。本例において、図１１に示す通り、サブフレーム期間３−２は、サブフレーム期間３−１に対して１フレーム表示期間の始点側に設けられる。３番目の低階調において光通過期間が出現するサブフレーム期間３−３は、サブフレーム期間３−１に対してサブフレーム期間３−２とは逆側に設けられる。４番目の低階調において光通過期間が出現するサブフレーム期間３−４は、サブフレーム期間３−１に対してサブフレーム期間３−２と同じ側で、サブフレーム期間３−１からサブフレーム期間３−２より離れて設けられる。以降のサブフレーム期間３−５〜３−７も、こうした規則に従って設けられる。階調数が６ｂｉｔより多い場合も同様である。
【００７０】
第２のグループに属するサブフレーム期間０〜２のそれぞれは、第１のグループに属するサブフレーム期間３−１〜３−７同士の間に設けられる。すなわち、第１のグループに属するサブフレーム期間３−１〜３−７と、第２のグループに属するサブフレーム期間０〜２と、は交互に設けられる。本例では、第２のグループに属するサブフレーム期間０〜２は、１フレーム表示期間の中央寄りに設けられており、このうち２つのサブフレーム期間が、１フレーム表示期間の中央部に配置されるサブフレーム期間３−１を挟み込むように前後両側に設けられている。
【００７１】
図１１に示す場合、サブフレーム期間３−２，４，６がサブフレーム期間３−１に対して１フレーム表示期間の始点側に設けられ、サブフレーム期間３−３，５，７がサブフレーム期間３−１に対して１フレーム表示期間の終点側に設けられている。なお、他の例として、サブフレーム期間３−２，４，６がサブフレーム期間３−１に対して１フレーム表示期間の終点側に設けられ、サブフレーム期間３−３，５，７がサブフレーム期間３−１に対して１フレーム表示期間の始点側に設けられていてもよい。
【００７２】
図１１に示す駆動シーケンスとすることにより、第１のグループの発光重心も、第２のグループの発光重心も、ともに、１フレーム表示期間の中心近くに近づけられており、疑似輪郭の発生が抑制される駆動シーケンスとなっている。係る駆動シーケンスの場合、図１８に示す画像よりも、別の画像をスクロールさせた場合に生じる色分解がより問題となる。
【００７３】
次に、図１１に示す駆動シーケンスによって生じる色分解について説明する。図１４は、当該実施形態に係る色分解の例を示す画像の図であり、ここで、問題となる画像は、図１４（ａ）に示す画像である。この画像は、６ｂｉｔ階調の画像で、ＲＧＢの階調値（６３,７，７）で表される色の所定幅の帯線を黒背景に表示する画像である。図１１に示す通り、階調値７は、第２のグループに属するサブフレーム期間０〜２（ｂｉｔ制御部）ですべて光通過が行われ、第１のグループに属するサブフレーム期間３−１〜３−７（点灯制御部）では全く光通過が行われない。これに対して、階調値６３は、すべてのサブフレーム期間において光通過が行われる。
【００７４】
図１７は、本発明の比較例３に係る画像表示を示す図である。図の縦軸及び横軸は、図１５と同様である。比較例３では図１１に示す駆動シーケンスを用いて表示を行っており、フレーム表示期間は、第１のグループに属する７個のサブフレーム期間３−１〜３−７と、第２のグループに属する３個のサブフレーム期間０〜２とで、構成されている。画像データｄａｔａ１は、画素ＰＸ１がＲＧＢの階調値（６３,７，７）で表される色の表示で、画素ＰＸ２及び画素ＰＸ３が黒表示である。同様に、画像データｄａｔａ２は、画素ＰＸ２が上記色の表示で、画素ＰＸ１及び画素ＰＸ３が黒表示であり、画像データｄａｔａ３は、画素ＰＸ３が上記色の表示で、画素ＰＸ１及び画素ＰＸ２が黒表示である。比較例３において、比較例１及び比較例２と同様に、画像データ使用期間ＴＤとフレーム表示期間ＴＦとは、長さが等しく、ともに、１６．６７ｍｓ（周波数６０Ｈｚ）である。
【００７５】
ここで、ＲＧＢの階調値（６３，７，７）で表される色の表示は、第１のグループに属する７個のサブフレーム期間３−１〜３−７ではＲのみが光通過をし、第２のグループに属する３個のサブフレーム期間０〜２において、ＲＧＢの３色すべてで光通過が行われる。図１７に示す通り、各画像データ使用期間ＴＤにおいて、第２のグループに属する３個のサブフレーム期間０〜２は、期間開始から同じ時間後にそれぞれ出現するために、ＲＧＢの３色すべてで光通過が行われる３個のサブフレーム期間０〜２が白と認識されてしまい、白色の着色線が出現してしまう。図１４（ｂ）は、かかる画像を比較例３によって画像表示した場合に、人間の目に認識される画像を示している。
【００７６】
次に、図１１に示す駆動シーケンスを用いて、当該実施形態に係る画像表示について説明する。当該実施形態においても、１フレーム表示期間ＴＦが画像データ使用期間ＴＤより長い場合には、画像データ使用期間ＴＤにおいて、（一部となる）残りの分割フレーム表示期間の表示を行わないことにより、各画像データ使用期間ＴＤにおける最初（最後）の分割フレーム表示期間を異ならせることが出来る。同様に、１フレーム表示期間ＴＦが画像データ使用期間ＴＤより短い場合には、画像データ使用期間ＴＤにおいて、１フレーム表示期間ＴＦ（ｎ個の分割フレーム表示期間）に加えてさらに（一部となる）分割フレーム表示期間の表示を行うことにより、各画像データ使用期間ＴＤにおける最初（最後）の分割フレーム表示期間を異ならせることが出来る。ここでは、後者の場合について説明する。
【００７７】
図１２は、当該実施形態に係る画像データ使用期間とフレーム表示期間ＴＦの関係を示す図である。ここでは、１フレーム表示期間ＴＦが、各画像データを使用している期間よりも短い場合について示している。
【００７８】
図に示す通り、１フレーム表示期間は、１０個のサブフレーム期間で構成されている。これを時系列に、２個ずつまとめて、分割フレーム表示期間とする。すなわち、１フレーム表示期間は、５個の分割フレーム表示期間によって構成されており、順に、サブフレーム期間３−６，３−４で構成される第１分割フレーム表示期間、サブフレーム期間０，３−２で構成される第２分割フレーム表示期間、サブフレーム期間２，３−１で構成される第３分割フレーム表示期間、サブフレーム期間１，３−３で構成される第４分割フレーム表示期間、及び、サブフレーム期間３−６，３−４で構成される第５分割フレーム表示期間とする。ここで、分割フレーム表示期間の長さは、種類によって異なっている。
【００７９】
図１２に示す通り、１フレーム表示期間ＴＦの１期間は、連続する５個（ｎ＝５）の分割フレーム表示期間によって構成され、画像データを使用する期間（画像データ使用期間）に、連続する６個（ｋ＝６，ｎ＜ｋ＜２ｎ）の分割フレーム表示期間の表示が行われる。画像データを使用する期間（画像データ使用期間）では、１フレーム表示期間ＴＦの表示に加えて、さらに続く１個（ｋ−ｎ）の分割フレーム表示期間の表示が行われる。さらに続く1個の分割フレーム表示期間の種類によって、画像データを使用する期間は異なっている。
【００８０】
図１３は、当該実施形態に係る画像表示を示す図である。図の縦軸及び横軸は、図６乃至図９と同様であるが、３個の画像データｄａｔａ１，ｄａｔａ２，ｄａｔａ３は、図１７に示す比較例３と同様である。画像データの取り込みが、周波数６０Ｈｚでなされ、画像データを使用する期間は、平均的には１６．６７ｍｓ（周波数６０Ｈｚ）であり、６個の分割フレーム表示期間で構成されている。これに対して、１フレーム表示期間ＴＦは、１画像データ使用期間ＴＤの０．８３３倍であり、１３．８９ｍｓ（周波数７２Ｈｚ）となっている。
【００８１】
図１３に示す当該実施形態に係る画像表示では、かかる画像表示を行うことにより、ＲＧＢ３色の光通過を行うサブフレーム期間０〜２の出現が、各画像データを使用する期間の始まりから、使用する画像データによって異なっている。画像データｄａｔａ１〜ｄａｔａ３を使用する期間それぞれで最初に用いられる分割フレーム表示期間は、順に、第１分割フレーム表示期間、第２分割フレーム表示期間、第３分割フレーム表示期間であり、順に１個ずつずれている。
【００８２】
例えば、サブフレーム期間２の場合、第３分割フレーム表示期間の１番目のサブフレーム期間である。図１７に示す比較例３に係る画像表示の場合、第３分割フレーム表示期間は、すべての画像データを使用する期間（フレーム表示期間）において、３番目の分割フレーム表示期間である。それゆえ、サブフレーム期間２は、すべての画像データを使用する期間において、その始まりから等しい時間経過後に出現する。これに対して、図１３に示す当該実施形態に係る画像表示の場合、第３分割フレーム表示期間は、画像データｄａｔａ１〜ｄａｔａ３を使用する期間それぞれで、順に３番目、２番目、１番目の分割フレーム表示期間であり、それゆえ、サブフレーム期間２は、画像データｄａｔａ１〜ｄａｔａ３を使用する期間それぞれで、その始まりから異なる時間経過後に出現する。これにより、サブフレーム期間２に起因して人間の目に認識される白色の着色線の出現は抑制される。サブフレーム期間０，１についても同様である。
【００８３】
図１４は当該実施形態に係る色分解の例を示す画像の図であり、図１４（ｃ）は、かかる画像を当該実施形態によって画像表示した場合に、人間の目に認識される画像を示している。図１４（ｂ）に示す通り、図１４（ｂ）では出現している白色の着色線が、図１４（ｃ）では抑制されており、当該実施形態に係る画像表示の効果を表している。
【００８４】
以上、本発明の複数の実施形態について説明した。第６の実施形態において、ｎ個の分割フレーム表示期間の長さは、構成するサブフレーム期間の組み合わせによって異なっている。この場合であっても、制御部は周期的に画像データを取り込むとともに、取り込んだ該画像データに基づいて表示を行っている。他の実施形態においても同様であり、ｎ個の分割フレーム表示期間の長さがともに等しくても、異なるものがあったとしても、何ら問題はなく、本発明を適用することが出来る。
【００８５】
なお、本発明に係る表示装置は、ＭＥＭＳシャッターなどの点灯制御素子を利用した表示装置として説明したが、これに限定されることはないのは言うまでもなく、色順次駆動方式によって表示を行う表示装置に広く適用される。
【符号の説明】
【００８６】
１  ガラス基板、２  バックライト、３  表示制御回路、４  発光制御回路、５  システム制御回路、６  制御線、７  周波数比較ブロック、８  フレームメモリ、１１  画素、１２  行選択信号線、１３  データ信号線、１４  集積回路、１５  行選択回路、２１  スイッチ、２２  記憶容量、２３  点灯制御素子、２４  基準電位、ＴＤ  画像データ使用期間、ＴＦ  フレーム表示期間。
【図１】
2013073113.tif 000003
【図２】
2013073113.tif 000004
【図３】
2013073113.tif 000005
【図４】
2013073113.tif 000006
【図５】
2013073113.tif 000007
【図６】
2013073113.tif 000008
【図７】
2013073113.tif 000009
【図８】
2013073113.tif 000010
【図９】
2013073113.tif 000011
【図１０】
2013073113.tif 000012
【図１１】
2013073113.tif 000013
【図１２】
2013073113.tif 000014
【図１３】
2013073113.tif 000015
【図１５】
2013073113.tif 000016
【図１６】
2013073113.tif 000017
【図１７】
2013073113.tif 000018
【図１８】
2013073113.tif 000019
【図１４】
2013073113.tif 000020